(57)【要約】      高解像度マルチメディア動作可能プログラムおよび機能を選ぶための電気および電子センサ手段であって、パーソナルコンピュータおよびテレビジョン受信機用のこの種のマルチメディア動作可能プログラムおよび機能を設定し、実行し、かつこの種のビデオスクリーン（７）の上にそれらを表示するための、テレビジョン受信機スクリーン（７）と一体化される、複数の高解像度マルチメディア動作可能プログラムおよび機能を処理するための器具用のインタフェース装置（２）に接続される手段。ユーザが種々のセンサ回路を直接操作することなく、および／またはいくつかのリモートコントロール機器などを利用することなく、更に、これらのセンサ回路と相互作用する任意の可能な装置を押圧せず、接触せず、またはかすめずに、この種のセンサ手段が、インタフェース装置（２）のマイクロプロセッサ（１）に接続されてかつユーザの間隔をあけた動きおよびジェスチャを用いて動作可能プログラムおよび機能を選ぶように適応される一組のセンサ（１２−１８）を備える。【選択図】図１
2014526183.tif 000002
【特許請求の範囲】
【請求項１】
高解像度マルチメディア動作可能機能およびプログラムを選ぶための電気および電子センサ手段であって、この種のマルチメディア動作可能プログラムおよび機能を設定して、実行してかつこの種のスクリーン（７）の上にそれらを表示するための、テレビジョン受信機スクリーン（７）と一体化される、複数の高解像度マルチメディア動作可能プログラムおよび機能を処理するための器具用のインタフェース装置に接続される手段において、前記器具が、一般に情報学デジタルおよびアナログデータならびに様々な種類のパーソナルコンピュータおよびテレビジョン受信機用の動作可能プログラムおよび機能のデータを制御してかつ管理するための、従来のタイプの主電子制御手段（マスタマイクロプロセッサ５）を備え、かつ更に、前記主電子制御手段（５）および前記スクリーン（７）に接続されるこの種の動作可能プログラムおよび機能の音響を再生するための手段（電子ブロック８）を備え、かつ、同じ出願人による２００５年６月１５日出願、イタリア特許出願第２００５Ａ００００３８号明細書内に記述されてかつ請求される器具のように作られてかつ動作し、ならびに、前記インタフェース装置（２）が、前記第１の主電子制御手段（５）におよび前記センサ手段（１２−１８）に接続される、従来のタイプの第２の主電子制御手段（マイクロプロセッサ１）を備え、前記器具および前記インタフェース装置（２）が、前記複数のマルチメディア動作可能プログラムおよび機能を処理してかつ制御するための人間音声をリアルタイムで処理するためのシステムに接続され、人間音声制御を用いて活性化されてかつ非活性化されるように適応される第３の制御手段（マイクロプロセッサ１１）を備え、かつデジタルモードで符号化される情報学データの交換を実行するための前記第１のおよび第２の主電子制御手段（５、１）に接続され、前記処理システムが、同じ出願人による２００６年９月１３日出願、イタリア特許出願第２００６Ａ００００６９号明細書内に記述されるシステムのように作られてかつ動作する手段であって、前記センサ手段（１２−１８）が、ユーザから直接に、遠隔で遂行された動きおよびジェスチャを、これらのセンサ回路の前記ユーザによる直接の操作、および／またはリモートコントロール装置または類似した装置の前記ユーザによる使用、またはこれらのセンサ回路と相互作用する任意の装置の前記ユーザによる押圧、接触またはかすめ、を伴わずに取得することによって、前記第２の主電子制御手段（１）に接続されてかつ前記器具の前記動作可能プログラムおよび機能を選ぶように適応される第１の、第２の、第３の、第４の、第５の、第６のおよび第７のセンサ手段（１２；１３；１４；１５；１６；１７；１８）を備え、前記第１のセンサ手段（１２）が平面視ビデオセンサ（電子ブロック１２）によって構成され、前記第２のセンサ手段（１３）が立体視のための二色性システムを備えた平面視ビデオセンサ（電子ブロック１３）によって構成され、前記第３のセンサ手段（１４）が立体視ビデオセンサ（電子ブロック１４）によって構成され、前記第４のセンサ手段（１５）が動きセンサ（電子ブロック１５）によって構成され、前記第５のセンサ手段（１６）がマルチチャンネルオーディオセンサ（電子ブロック１６）によって構成され、前記第６のセンサ手段（１７）が受動赤外線センサ（電子ブロック１７）によって構成され、および前記第７のセンサ手段（１８）が環境輝度センサ（電子ブロック１８）によって構成され、それらの前記第６のおよび第７のセンサ手段（１７、１８）が、同じ出願人による２０１０年１月２８日出願、イタリア特許出願第２０１０Ａ０００００６号明細書内に記述されるもののように作られてかつ、動作させられ、人の選択指示を常に正確に解釈するために、これらの動作可能プログラムが、器具動作可能プログラムおよび機能の各選択中に前記デジタルデータを認識することが可能であるために、前記第２の主電子制御手段（１）が、デジタルモードで符号化され、かつ前記人の存在、姿勢ならびに動きおよびジェスチャその他．．．、ならびに前記センサ手段（１２−１８）を通して導入される前記同じ人によって生成される音響およびノイズ、同じく、前記第３の制御手段（１１）を通して導入される人音声制御、に関するデジタルデータに関連がある動作可能プログラムによって前もって設定され、ならびに前記そのように選択されたデジタルデータの前記認識に対する応答として、前記動作可能プログラムが、前記選択された動作可能プログラムおよび機能の実施のこれらの後者（機能）による結果として生じるチェックおよび管理によって、前記第１の電子制御手段（５）に対応する応答デジタル信号を送信することをもたらし、前記第２の主電子制御手段（１）の動作可能プログラムが、さらに、各センサを、検出されるべき異なるパラメータに従い、限定された構成で時々動作するように設定するために、それらおよび前記センサ手段（１２−１８）の各１つの間の符号化デジタルデータの交換を遂行するために、かつ各センサの動作可能状態、同じく異なる動作可能プログラムおよび機能の実施中の前記第２の主電子制御手段（２）および前記異なるセンサの間の前記符号化デジタルデータの前記交換をチェックするために、かつ前記電子制御手段（５、１１）のどちらか一方または両方の間の符号化デジタルデータの交換をさらに遂行するために、かつ更に、処理されるべき異なるパラメータに依存して、限定された構成で時々動作させるために前記電子制御手段（５、１１）の各１つまたは両方を設定するために、同様に、上述したイタリア特許出願第２０１０Ａ０００００６号明細書にて説明したように、選ばれた前記動作可能プログラムおよび機能の制御の全てのコードを認識するために、かつ前記電子制御手段（１、５、１１）の各１つの動作可能状態ならびに前記異なる動作可能プログラムおよび機能の実施中のこれらの後者（機能）の間の前記符号化デジタルデータの交換をさらにチェックするために、前もって設定され、前記第２の電子制御手段（１）が、前記センサ手段（１２−１７）からその可能な前処理のために他の外部プロセッサまで受信された情報を送信するように適応される動作可能プログラムによって、更に設定され、そのように処理されたデータが、次いで所定の制御の最終の処理および認識のために前記第１の電子制御手段（５）に戻されるような方法で、前記外部プロセッサが、前記第１の電子制御手段（５）によってまたは、ネットワーク内に設けられる他の処理システムによって、それらを通して、構成されることができることを特徴とするセンサ手段。
【請求項２】
前記平面視ビデオセンサ（電子ブロック１２）が、少なくともカラーテレビジョンカメラによって構成され、それが、前記センサの前方の空間の動くカラー画像を撮影することが可能であり、そのカラー画像が、中高解像度を有し、前記平面視ビデオセンサが、例えば、ＵＳＢライン、ＩＰプロトコルによるラインイーサネットを用いてまたはコンポジットビデオ信号経由で前記第２のマイクロプロセッサ（１）とインタフェースする２ＭＰｉｘｅｌ以上のＣＭＯＳセンサを備えたカラーテレビジョンカメラであることを特徴とする請求項１に記載のセンサ手段。
【請求項３】
立体視のための二色性システムを備えた前記平面視ビデオセンサ（電子ブロック１３）が、少なくとも立体視のための二色性システムと一体化される平面視カラーテレビジョンカメラによって構成され、それが、前記センサの前方の空間内に動く立体視カラー画像を撮影することが可能であり、そのカラー画像が、中高解像度を有し、立体視のための二色性システムを備えた前記平面視ビデオセンサが、例えば２ＭＰｉｘｅｌ以上のＣＭＯＳセンサを備えた平面視カラーテレビジョンカメラであり、それが、ＵＳＢライン、ＩＰプロトコルによるラインイーサネットを用いてまたはコンポジットビデオ信号経由で前記第２のマイクロプロセッサ（１）とインタフェースする、立体視のための二色性システムと一体化されることを特徴とする請求項１に記載のセンサ手段。
【請求項４】
前記立体視ビデオセンサ（電子ブロック１４）が、互いに機械的に連結されてかつ同期する、２台の平面視カラーテレビジョンカメラのアセンブリから成る、立体視カラーテレビジョンカメラによって構成され、それが、前記センサの前方の空間の動く立体画像を撮影することが可能であり、そのカラー画像が中高解像度を有し、前記立体視ビデオセンサが、例えば、ＵＳＢライン、ＩＰプロトコルによるラインイーサネットを用いてまたはコンポジットビデオ信号経由で前記第２のマイクロプロセッサ（１）とインタフェースする、２ＭＰｉｘｅｌ以上のＣＭＯＳセンサを備えた立体視テレビジョンカメラであることを特徴とする請求項１に記載のセンサ手段。
【請求項５】
前記動きセンサ（電子ブロック１５）が、それらの動作可能範囲内で動く物体の存在を検出することが可能なセンサによって構成され、それが好ましくは、１−５メータの空間の範囲内で動く物体を検出することが可能である、受動赤外線センサと一体化されるマイクロ波または超音波ベースの活性技術によるセンサであり、前記動きセンサが、例えば家庭用の警報装置で通常用いられるセンサであることを特徴とする請求項１に記載のセンサ手段。
【請求項６】
前記マルチチャンネルオーディオセンサ（電子ブロック１６）が、前記センサの前方の空間の異なる領域から来る音響およびノイズを受信するために、適切に間隔を置かれてかつ向けられる、音響およびノイズを受信することが可能なセンサによって構成され、前記マルチチャンネルオーディオセンサが、例えば前記センサの前方の空間の異なったかつ部分的にだけ重なり合った領域を覆うような位置に取り付けられる指向性マイクロフォンであることを特徴とする請求項１に記載のセンサ手段。
【発明の詳細な説明】
【技術分野】
【０００１】
本発明は、種々の種類の複数の高解像度マルチメディア動作可能プログラムおよび機能を処理するための器具用のインタフェース装置に接続される電気および電子センサ手段であって、この種のマルチメディア動作可能プログラムおよび機能を同じスクリーン上へ設定して、実行して、かつ表示することを可能にするように適応される、テレビジョン受信機スクリーンと一体化される手段に関する。
【背景技術】
【０００２】
この種のマルチメディア動作可能プログラムおよび機能を同じスクリーン上へ設定して表示するためのテレビジョン受信機スクリーンと一体化される複数の高解像度マルチメディア動作可能プログラムおよび機能を処理するための器具が公知である。
【０００３】
特にこの器具は、同じ器具にまたは分離された外部器具に含まれる、少なくとも任意のタイプ（ＬＣＤ、ＬＥＤ、プラズマその他）のテレビジョン受信機スクリーン上へ、この種の動作可能プログラムおよび機能を設定して表示することを可能にするように適応され、かつ、一般に情報学アナログおよびデジタルデータならびに種々の種類のパーソナルコンピュータおよびテレビジョン受信機用の動作可能プログラムおよび機能のデータを制御して管理するための少なくともマスタまたは主マイクロプロセッサのような主電子制御手段によって；この種のマスタマイクロプロセッサを通してそれぞれ設定されて処理された動作可能プログラムおよび機能の情報学データに従い任意のタイプのビデオ信号を受信して処理するための、かつビデオスクリーンの上にこの種のビデオ信号を表示するためのマスタマイクロプロセッサおよびテレビジョンスクリーンの両方に接続されるビデオプロセッサのようなビデオ信号処理手段によって；この種のマスタマイクロプロセッサを通してそれぞれ設定されて処理された情報学データならびに動作可能プログラムおよび機能に従いオーディオ信号を処理して再生するための、マスタマイクロプロセッサおよび音響再生変換器の両方に接続されるオーディオプロセッサのようなオーディオ信号処理手段によって；無線、ケーブル、ワイヤ、光ファイバなど経由で送信される種々の種類のアナログおよびデジタルビデオおよびオーディオ信号の入力のセレクタ手段であって、そのセレクタ手段が、バス制御ラインを通してビデオプロセッサおよびマスタマイクロプロセッサに接続され、それが次に、オーディオプロセッサおよびビデオ信号を処理するためのグラフィックモジュールの両方に接続される手段によって特徴づけられ；かつ、さらに、一般に入力され出力された情報学データ、ならびに動作可能なように同じ器具に接続される、器具および外部周辺器具に対するパーソナルコンピュータおよびテレビジョン受信機用の動作可能プログラムおよび機能のデータの第１の、第２のおよび第３の電子制御手段によって特徴づけられ、前記第１の電子制御手段が、マルチプレクサスイッチおよびバス制御ラインを通してマスタマイクロプロセッサに動作可能なように接続される受信器／検出器によって形成されるリモートコントロール回路によって構成され、かつ無線、ケーブル、ワイヤ、光ファイバなど経由で情報学データを受信して送信するように適応され、そのデータが、この種のデータ内に収容されている画像を表示して音響を再生するために、リモートコントロール、パーソナルコンピュータのキーボードおよびマウスのような外部周辺器具、インターネットネットワークなどに接続される器具、このリモートコントロール回路と相互作用する器具に前もって設定され、および、これらのデータが、同じデータ内に収容されている画像を表示して音響を再生するための周辺器具を参照されてそれに送信される器具によって受信される。さらに、このリモートコントロール回路は、パーソナルコンピュータおよびテレビジョン受信機用の動作可能プログラムおよび機能を周辺器具に設定して直接選択し、かつ、参照される器具内に実行されるべき、最も異なる種類の機能をチェックすることを可能にする。次に、第２の電子制御手段が、オーディオデータを受信して送信し、かつ無線、ケーブル、ワイヤなど経由で、パーソナルコンピュータおよびテレビジョン受信機用の動作可能プログラムおよび機能を設定して選択するように適応され、かつ少なくともオーディオプロセッサに接続されるマルチプレクサスイッチおよびマスタマイクロプロセッサに接続されるバス制御ラインによって構成される。その上、第３の電子制御手段が、無線、ケーブル、ワイヤ、光ファイバなど経由で、一般に情報学データならびにパーソナルコンピュータおよびテレビジョン受信機用の動作可能プログラムおよび機能のアナログおよびデジタルビデオおよびオーディオデータを受信して送信するように適応され、かつ、少なくとも、バス制御ラインを通して、種々の種類の複数の周辺器具にその入力で、かつマスタマイクロプロセッサにその出力の１つ以上で接続されるアクセスゲートによって構成される。この処理器具は、また、マスタマイクロプロセッサが、それならびに入力セレクタ手段ならびに第１の、第２のおよび第３の電子制御手段の間の、ならびにそれおよびこの器具と永続的にまたは一時的に接続される、外部電子器具および／またはシステムの対応する電子制御手段の間の、データ交換を制御して管理するように適応されること、ならびに、マスタマイクロプロセッサが、その入力で、同じデータを管理して処理して、かつ設定された動作可能プログラムおよび機能の実施を制御するように適応される対応する応答出力信号を送信するために、この種の第１の、第２のおよび第３の電子制御手段ならびに外部電子器具および／またはシステムの対応する制御手段、ならびに、テレビジョンスクリーンの上に対応する画像を表示してかつこの器具のオーディオ変換手段ならびに外部電子回路器具および／またはシステムの対応するテレビジョンスクリーンおよびオーディオ変換器内の対応する音響を再生することによって、この器具ならびに外部電子器具および／またはシステムのビデオ信号およびオーディオ信号を処理するための手段、を通して設定された一般に情報学データならびに動作可能プログラムおよび機能のアナログおよびデジタルデータを受信するために設定され、かつ、また、信号を送り、かつ場合により、正確に実行されなかった動作を自動的に補正するか、またはさらに、この器具ならびに外部電子器具およびシステムの任意の起こりうる動作的不良または欠陥の信号を送るために、この器具ならびに外部電子器具およびシステムの動作可能プログラムおよび機能の正しい動作および実施をチェックして検査するように適応されることを特徴とする。
【０００４】
その上、この種のマスタマイクロプロセッサは大容量記憶ユニット（ハードディスク）および従来のタイプの光学ライタ／リーダ装置にその出力で接続される。
【０００５】
さらに公知であるのは、同じ器具に動作可能なように接続される、参照される器具ならびに外部電子器具および／またはシステム内に実行されなければならない、高解像度マルチメディア動作可能プログラムおよび機能に関する複数のデータを選んで制御するように適応される、上述したタイプの器具内の種々の種類のデータおよび機能を制御するための人間音声をリアルタイムで処理するためのシステムである。
【０００６】
この種のシステムは、少なくとも、制御手段、アナログ−デジタル変換器手段、送信器手段、受信器手段、音声制御用のデコーダおよび受信器手段ならびにグラウンドノイズフィルタ手段を通して、人間音声のトーン、音質および音量ならびにこのマイクの前で発音される音素を認識するように適応され、かつ、電子器具および／またはシステム内に時々実行されなければならない動作可能プログラムおよび／または機能用の制御のデータベースと共に、器具の記憶手段内に記憶される適切なデータバンク内に符号化されるデジタル信号の形で再度順序付けられ、かつ、関連器具および／またはシステムの適切なウィンドウを通して表示されて識別される音声分析器手段と接続されるマイクによって特徴づけられ、この種の音素および／または声の制御の認識の不良の場合、それらがデータベース内にまだ導入されてなかった場合にさえ、同じ音素および／制御の関連拒絶で、対応する動作可能プログラムおよび／または機能の実施をもたらすために、１回以上の回数で、前記マイクを通して与えられた音素および／または声の制御を認識し、かつ応答として関連電子構成要素を制御するように適応される限定されたタイプの符号化デジタル信号を生成するような方法で、前記音声分析器手段が、前記主電子制御手段にバス制御ラインを通して接続され、かつ初期の訓練ステップおよび可能な学習ステップに従うように適応される動作可能プログラムによって配置され、器具のリモートコントロール機器を通して、この種の音素および／または声の制御ならびに選択された動作可能プログラムおよび／または機能の実施の結果として生じる自動変化および補正、ならびにそのデータベースへの保存、ならびにそれぞれ選択された動作可能プログラムおよび／または機能を実施するための関連電子制御構成要素の活性化によって、前記動作可能プログラムに導入される、正しい音素および／または所定の音素および声の制御に対応する制御を選択するために、前記動作可能プログラムが、スクリーン内に、類似した音素および／または記憶されたデータベース内に収容されている全ての制御を表示するように適応される。
【０００７】
最終的に、公知であるのは、最も異なるタイプの周辺器具に接続される、参照される種類の周知の器具と関連しているインタフェース装置であって、その装置が、手動でまたはリモートコントロール機器を用いて制御され、かつ、同じタイプの、更に、前記処理器具で利用可能なものに対して異なるタイプの、かつ、そのプログラムおよび機能が、手動でまたはリモートコントロール機器を用いて選ばれるような周辺器具から来る、複数のマルチメディア動作可能プログラムおよび機能の入力信号を受信するために、そのように設定され、かつ、さらに、選択された動作可能プログラムおよび機能を参照される器具のスクリーン上へ表示するように、同じく、同じ器具内にこの種のそのように選択された動作可能プログラムおよび機能内に収容されている音響を再生するように適応される対応する出力信号を生成するために設定される装置である。さらに、この種のインタフェース装置はまた、随意に、同じ周辺器具内に選択された動作可能プログラムおよび機能を変え、かつ、これらの変更された動作可能プログラムおよび機能を参照される器具のスクリーンの上に表示するように適応される対応する変更された出力信号を生成し、同じく、同じ器具内に、これらの変更された動作可能なプログラムおよび機能内に収容されている音響を再生するように、手動でまたはリモートコントロール機器を用いて制御される関連する周辺器具と相互作用することができる。最後に、要望どおりそれらを変更することによって、これらの追加的で異なる周辺器具の動作可能プログラムおよび機能に加えられるために、かつこれらの追加的な動作可能プログラムおよび機能を参照される器具のスクリーンの上に表示し、同じく、同じ器具内に、これらの追加的な動作可能プログラムおよび機能内に収容されている音響を再生するために、随意に１台以上の同じ周辺器具内に選ばれる動作可能プログラムおよび機能を変え、かつ追加的で異なる周辺器具に送信される対応する変更された出力信号を生成するように、この種のインタフェース装置はまた、手動でまたはリモートコントロール機器を用いて制御される周辺器具と相互作用することができる。本発明は、インタフェース装置に、および場合によりさらに、参照されるタイプの器具のスクリーンの上にマルチメディア動作可能プログラムおよび機能を設定して、実行して、かつ表示することを可能にするために、上述されるタイプの声の制御システムに接続される電気および電子センサ手段に関する。
【０００８】
本発明は、単なる非限定的な例として、かつ上述した電気および電子センサ手段のブロック図を示す単一の添付の図を参照して与えられる以下の記述から、よりよく理解されるであろう。
【０００９】
添付の図に示すブロック図を参照して以下に記載する、本発明に従う電気および電子センサ手段が、テレビジョン受信機およびパーソナルコンピュータの両方のマルチメディア動作可能プログラムおよび機能をスクリーンの上に設定して表示するための、テレビジョン受信機のスクリーンと一体化される、種々の種類の複数の高解像度マルチメディア動作可能プログラムおよび機能を処理するための器具と関連するインタフェース装置に含まれ、この種のインタフェース装置および処理器具が、本特許出願の上記の導入部に記述される周知の現状技術内に総合して記述され、および、このインタフェース装置が特許文献１内に記述されて請求されており、一方、この処理器具が、特許文献２内に記述されて請求されている。したがって、以下の記述では、全ての周知の特許出願の構成部分は詳述されないが、本発明に関連する構成部分だけが記述される。
【先行技術文献】
【特許文献】
【００１０】
【特許文献１】２０１０年１月２８日出願、イタリア特許出願第２０１０Ａ０００００６号明細書
【特許文献２】２００５年６月１５日出願、イタリア特許出願第２００５Ａ００００３８号明細書
【特許文献３】２００６年９月１３日出願、イタリア特許出願第２００６Ａ００００６９号明細書
【図面の簡単な説明】
【００１１】
【図１】上述した電気および電子センサ手段のブロック図を示す。
【発明を実施するための形態】
【００１２】
この目的に対して、本発明のブロック図内に、また記述される機能を実行するために記述される電気および電子センサによって形成される、別々の電子カード（示されない）に含まれてかつ一組の電気および電子センサ回路３に動作可能なように接続される、インタフェース装置２の電子マイクロプロセッサ１が表される。記述される方法で、かつ機能に対して設定されることを見越されるこの種の電子マイクロプロセッサ１が次に、この種のマルチメディア動作可能プログラムおよび機能の設定および実行を達成し、かつそれについてこの種のスクリーンの上に表示し、かつこの種の器具の音響を再生するための前記オーディオプロセッサおよび変換器に音響を再生するために、テレビジョン受信機スクリーンと一体化される、複数の高解像度マルチメディア動作可能プログラムおよび機能を処理するための上記の指定された器具のマスタマイクロプロセッサ５にバスライン４によって動作可能なように接続される。このマスタマイクロプロセッサ５は、マイクロプロセッサ１およびインタフェース装置２の電気および電子センサ３と共に、電気供給ラインによって供給され、かつ、選択されたまたは受信されたマルチメディア動作可能プログラムおよび機能の画像を、マスタマイクロプロセッサ５に動作可能なように接続されるビデオカード（図示せず）に接続されてそれによって制御される、参照される器具のスクリーン７上に表示するか、または表示しないために、かつ、マスタマイクロプロセッサ５に動作可能なように接続される、同封された図内に説明を簡単にするため電子ブロック８で示される、この種の器具のオーディオプロセッサおよび音響再生変換器内に音響を再生するために、電子制御および処理回路と共に、別々のカード６に含まれる（それは、同封された略図内に示されないが、しかし上記の示された特許文献２内に詳述されている）。バスライン４の存在のおかげで、参照される器具のマスタマイクロプロセッサ５とインタフェース装置のマイクロプロセッサ１との間で電子およびデジタル情報の交換を遂行することが、そのように可能であり、その情報が、電気および電子センサ３の１つのまたは異なる回路に働くことによって選ばれ、かつ、マイクロプロセッサ１に導入されてそれによって処理され、それが次に、スクリーン７上に、前記センサ回路を通して選ばれた種々のプログラムおよび種々の機能を制御して表示し、かつブロック８内にその音響を再生することをもたらすためにマスタマイクロプロセッサ５にそれらを送信する。
【００１３】
その上、マスタマイクロプロセッサ５は、参照される器具内に時々活性化されてかつスクリーン７の上に表示されるかまたは表示されない、かつブロック８内にそれらの音響を再生される、動作可能プログラムおよび機能を認識するための、いくつかの符号化応答情報をマイクロプロセッサ１にもたらすことが可能であり、および、バスライン４を通してマイクロプロセッサ１と５との間で交換されるこれらの情報が、記述される方法で、かつ機能に対して、生成されて送信され、および／または受信される。さらに、インタフェース装置２のマイクロプロセッサ１は、種々の種類のデータおよび機能を制御するための、人間音声リアルタイム処理システム１０に追加的なバスライン９を通して動作可能なように接続され、そのシステムが、複数の高解像度マルチメディア動作可能プログラムおよび機能を処理するための上記の器具に含まれ、かつ、特許文献３内に記述されて請求された周知の現状技術内に、総合して解説されている。したがって、また、以下の記述のこの場合に、全てのこの種の以前の特許出願の構成部分を詳述するというわけでなく、本発明に関連する構成部分だけが記述される。
【００１４】
この目的に対して、これらの関連する構成部分が、特許文献３内に記述されるそれと同一の方法で設定されてかつ動作するマスタまたは主マイクロプロセッサ１１から成る、前記主電子制御手段によって実質的に構成され、この種のマスタマイクロプロセッサ１１が、マイクロプロセッサ１と１１との間で、かつこれらの２台のマイクロプロセッサ１、１１と複数の高解像度マルチメディア動作可能プログラムおよび機能を処理するための、器具のマスタマイクロプロセッサ５との間でこのように電子およびデジタル情報の交換を遂行するための、インタフェース装置２のマイクロプロセッサ１にバスライン９を通して接続され、その情報が、電気および電子センサ３の１つのまたは異なる回路に、および／または、さらに人間音声をリアルタイム処理するためのマイクロプロセッサ１１に働くことによって選ばれ、および、この種の情報がマイクロプロセッサ１によってそのように導入されて処理され、それが次に、前記センサ回路および／または前記声の制御システム１０を通して選ばれる種々のプログラムおよび種々の機能をスクリーン７の上に制御して表示し、かつブロック８内にそれらの音響を再生することをもたらすために、マイクロプロセッサ５および１１のどちらか一方または両方にそれらを送信する。次に、インタフェース装置２のマイクロプロセッサ１、ならびにこの種のマイクロプロセッサ１に接続される異なる電気および電子センサ回路３のいくつかの例を設定して動作させるためのモード、同じく、前記センサ回路におよび／またはさらに音声制御システム１０に働きかけることによって、参照される器具内にマルチメディア動作可能プログラムおよび機能を選ぶためのモードが記述される。特に、特許文献１内にすでに記述されているように、マイクロプロセッサ１が、異なるセンサ回路３および／またはさらに音声制御システム１０を通して、かつマスタマイクロプロセッサ５を通して遂行される選択に依存して、そのように選択された異なる動作可能プログラムおよび機能の、スクリーン７の上に表示される画像および電子ブロック８内に再生される音響を、制御するために前もって設定され、および、この種のマイクロプロセッサ１がさらに、記述されたように選ばれた全ての動作可能プログラムおよび機能を正確に管理するために、マスタマイクロプロセッサ５を通して処理されて受信される、参照される器具によって活性化される異なる構成部分によって生成される全ての応答信号を制御してチェックするために設定される。
【００１５】
次に、電気および電子センサ３の回路が、同じユーザによるこれらのセンサ回路の直接の操作および／またはリモートコントロール機器もしくは類似した装置の使用を必要とせずに、同じく、このユーザが、これらのセンサ回路と相互作用する任意の可能な装置を押すか、接触するかまたはかすめる必要なく、センサ回路から離れて間隔を置かれる動きおよびジェスチャのユーザによって直接取得することによって、上に記述される処理器具のこの種の動作可能プログラムおよび機能を選ぶために設けられる。次に、音声制御システム１０さえ、それが参照される器具内の動作可能プログラムおよび機能を選ぶためにさらに使用される時、少なくともこの種の音声制御システムに関連づけられるマイクにユーザによって発される音声によって直接活性化され、ならびに、その構成および動作が、特許文献３内に詳述されている。次に、非制限的な方法で本特許の同封された回路上の略図内に代表される電気および電子センサ３の回路の実施態様のいくつかの例を記述する。センサ回路のこれらの例が、電子ブロック１２で示される平面視ビデオセンサによって、電子ブロック１３で示される立体視のための二色性システムを備えた平面視ビデオセンサによって、電子ブロック１４で示される立体視ビデオセンサによって、電子ブロック１５で示される動きセンサによって、かつ電子ブロック１６で示されるマルチチャンネルオーディオセンサによって構成され、それらの全てのこれらの回路が、電気的にかつ動作可能なようにマイクロプロセッサ１に接続されてかつそれが以下に記載するように、実現されて動作する。さらに、指摘す
べきは、追加的なセンサ回路が、場合により見越されることができ、それらがさらに電子ブロック１７で示される受動赤外線センサおよび電子ブロック１８で示される環境輝度センサであることができ、かつ特許文献１内に記述されるもののように実現されて動作することができ、したがって、それらは、本発明の効果を考慮に入れないということである。平面視ビデオセンサ（電子ブロック１２）は、少なくともセンサの前方の空間の動くカラー画像を撮影することが可能なカラーテレビジョンカメラ（図示せず）によって構成される。この種のカラー画像は、中高解像度を有する。この種の平面視センサのいくつかの例は、ＵＳＢライン、ＩＰプロトコルによるラインイーサネットを用いてまたはコンポジットビデオ信号経由でマイクロプロセッサ１とインタフェースする、２ＭＰｉｘｅｌ以上のＣＭＯＳセンサを備えたカラーテレビジョンカメラである。立体視のための二色性システムを備えた平面視ビデオセンサ（電子ブロック１３）が、少なくとも立体視のための二色性システムと一体化される平面視カラーテレビジョンカメラ（図示せず）によって構成される。なお単一ＣＭＯＳセンサを利用して、この種のセンサがセンサの前方の空間の動く立体視カラー画像を撮影することが可能である。カラー画像は、中高解像度を有する。これらのセンサのいくつかの例は、ＵＳＢライン、ＩＰプロトコルによるラインイーサネットを用いてまたはコンポジットビデオ信号経由でマイクロプロセッサ１とインタフェースする、立体視のための二色性システムと一体化される、２ＭＰｉｘｅｌ以上のＣＭＯＳセンサを備えた平面視カラーテレビジョンカメラである。
【００１６】
電子ブロック１４で示される立体視ビデオセンサは、互いに機械的に連結されて同期する２台の平面視カラーテレビジョンカメラのアセンブリから成る、立体視カラーテレビジョンカメラによって構成される。この種のセンサは、センサの前方の空間の動く立体視画像を撮影することが可能である。カラー画像は、中高解像度を有する。これらのセンサの一例は、ＵＳＢライン、ＩＰプロトコルによるラインイーサネットを用いてまたはコンポジットビデオ信号経由でマイクロプロセッサ１とインタフェースする、２ＭＰｉｘｅｌ以上のＣＭＯＳセンサを備えた立体視テレビジョンカメラである。
【００１７】
電子ブロック１５で示される動きセンサは、それらの動作可能範囲に動く物体の存在を検出することが可能なセンサによって構成される。
【００１８】
この目的のために利用されるセンサは好ましくは、１から５メータの空間に動く物体を検出することが可能な受動赤外線センサと一体化される活性マイクロ波または超音波ベース技術によるセンサである。これらのセンサの一例は、家庭用の警報装置内に通常用いられるセンサである。電子ブロック１６で示されるマルチチャンネルオーディオセンサは、音響およびノイズを受信することが可能なセンサによって構成される。適切に間隔を置かれて向けられたセンサを備えたいくつかのマルチチャンネルシステムを利用することによって、受信された音響およびノイズがセンサの前方の空間の異なるゾーンから来ることができる。これらのセンサの一例は、システムの前方の空間の、異なって部分的にだけ重なり合ったゾーンを覆うような位置に取り付けられる、指向性マイクロフォンである。マイクロプロセッサ１に送信されるこれらの情報はさらに、上記の特許文献３内に記述されるのと同じように、周囲の空間内に存在する場合にあることができる人の音声放出の情報を受信して処理する、人間音声のリアルタイム処理のためのマイクロプロセッサ１１から来る情報と一体化されることができる。
【００１９】
このように、電子ブロック１２−１８内に例証だけとして記述されるセンサの全てのタイプが、参照される器具を取り囲む空間内に、人の存在、同じ人の彼らの姿勢および態度ならびに動きおよびジェスチャ、同じくこれらの人によって生成される音響およびノイズ、と関連する情報をリアルタイムでピックアップし、かつ、全てのピックアップされた情報が、デジタルモードで符号化されるデータに変換され、それが、この種のセンサを通してそれぞれ選ばれる情報に従い、同じ器具のマスタマイクロプロセッサ５を通して、参照される器具の動作可能プログラムおよび機能の制御を認識されてもたらすためにマイクロプロセッサ１に送信される。このために、マイクロプロセッサ１が、デジタルモードで符号化される動作可能プログラムで、かつ、これらの動作可能プログラムが器具の動作可能プログラムおよび機能の各選択中に上記の指定されたデジタルデータを認識することが可能であるために、人の存在、姿勢ならびに動きおよびジェスチャその他、同じく同じ人によって生成される音響およびノイズのデジタルデータに関連して、前もって設定される。このように、この種の動作可能プログラムおよび機能の各選択のために、マイクロプロセッサ１の動作可能プログラムが、人選択の指示を常に正確に解釈するために、かつそのように選択されたデータの認識に応答して、人の存在、彼らの動き、ジェスチャおよび姿勢その他、同じく異なる利用されたセンサの前方の同じ人によって生成される音響およびノイズに関連するデジタルデータを認識することをもたらし、マイクロプロセッサ１が、器具内に選ばれる動作可能プログラムおよび機能の実施のこの後者（機能）による結果として生じる制御および管理によって、マスタマイクロプロセッサ５に対応する応答デジタルデータを送信することをもたらす。インタフェース装置２のこの種のマイクロプロセッサ１の上記の引用された動作可能プログラムが、さらに、すでに前もって説明されたように、音声制御システム１０および関連マイクロプロセッサ１１を通して、人間音声のデジタルモードで符号化されるデータを認識するために設定され、かつ、そのように導入されたデジタルデータの認識に応答してそれが、器具内に選ばれる動作可能プログラムおよび機能の実施のこの後者（機能）による結果として生じる制御および管理によって、マスタマイクロプロセッサ５に対応する応答デジタルデータを送信することをもたらす。
【００２０】
さらに、指摘すべきことは、検出されるべき異なるパラメータに依存して、各センサを限定された構成によって時々動作させるように設定するために、かつ器具内の異なる動作可能プログラムおよび機能が実施されるときに、各センサの動作可能状態ならびにマイクロプロセッサ１および種々のセンサの間の符号化デジタルデータの交換をチェックするために、インタフェース装置２のマイクロプロセッサ１の動作可能プログラムがさらに、それと電子ブロック１２−１６によって表されるセンサの各１台ならびに追加的なセンサ１７および１８との間で符号化デジタルデータの交換を遂行するために設定されるということである。
【００２１】
マイクロプロセッサ１の動作可能プログラムが更に、また、それとマイクロプロセッサ５および１１のどちらか一方または両方との間で符号化デジタルデータの交換を遂行するために、既に前に示されたようにその動作のためにだけでなく、さらに、処理されるべき異なるパラメータに依存して、各マイクロプロセッサ５もしくは１１またはマイクロプロセッサ５および１１の両方を限定された構成で時々動作させるように設定するためにもまた、同じく、特許文献１にて説明したように、選ばれた動作可能プログラムおよび機能の制御の全てのコードを認識するために、かつ、各マイクロプロセッサの動作可能状態、および器具内の異なる動作可能プログラムおよび機能の実施中に活性化された異なるマイクロプロセッサの間の符号化デジタルデータの交換をチェックするために設定される。
【符号の説明】
【００２２】
１  電子マイクロプロセッサ
２  インタフェース装置
３  電気および電子センサ
４  バスライン
５  マスタマイクロプロセッサ
６  別々のカード
７  スクリーン
８  オーディオプロセッサおよび音響再生変換器
９  バスライン
１０  人間音声リアルタイム処理システム
１１  マスタマイクロプロセッサ
１２  平面視ビデオセンサ
１３  立体視のための二色性システムを備えた平面視ビデオセンサ
１４  立体視ビデオセンサ
１５  動きセンサ
１６  マルチチャンネルオーディオセンサ
１７  受動赤外線センサ
１８  環境輝度センサ
【図１】
2014526183.tif 000003
【国際調査報告】
2014526183.tif 000004
2014526183.tif 000005
2014526183.tif 000006